【手続補正書】
【提出日】平成19年1月30日(2007.1.30)
【手続補正１】
【補正対象書類名】明細書
【補正対象項目名】全文
【補正方法】変更
【補正の内容】
【書類名】  明細書
【発明の名称】浄水方法及びその水の使用方法
【特許請求の範囲】
【請求項１】水に超音波を施し脱気、減菌及び水の分子重合を切断し、紫外線を施す事で水を殺菌、オゾンを施すことで水の殺菌及び脱臭し、近赤外線を施すことで水の分子重合を安定させることを特徴とする浄水方法。
【請求項２】水に超音波と近赤外線を施し、水を活性化、安定させる事を特徴とする、浄水方法。
【請求項３】請求項１から２の浄水装置で成る、水に含まれる各種ガスを取り去り、殺菌、脱臭、活性化し、安定した水の有効な使用方法を提供する。
【発明の詳細な説明】
【０００１】
【発明の属する技術分野】
本発明は、水の浄水方法及びに浄水の使用方法に関する。
【０００２】
【従来の技術】
従来の浄水方法には、濾過、吸着、酸化、薬剤処理などが有る。装置は数々有るが、水に超音波、紫外線、オゾン、近赤外線と各種の処理をする装置及びに方法は見当らない。
【０００３】
【発明が解決しょうとする課題】
従来の浄水においては、水に含まれる各種ガスを取り除く事は難しかった。さらに、殺菌、脱臭、活性化し安定した状態の水に出来ないか。また、その有効な使用方法を提供する。
【０００４】
【課題を解決するための手段】
本発明の請求項１において、水に超音波を施してガスを取り除き、水の重合を切断し、水に紫外線を施す事で殺菌する。さらに、オゾンを用い殺菌及び水の臭いを除去し、近赤外線を用いる事で水の分子重合を活性化し安定させるという技術的手段を講じている。請求項２では、水に超音波と近赤外線を施し、水を活性化、安定させる事を特徴とする。請求項３は請求項１から２の浄水方法で出来た水の使用方法であり、請求項１から２の浄水方法で成る、水に含まれる各種ガスを取り去り、殺菌、脱臭、活性化し安定した水の有効な使用方法を提供する。
【０００５】
【発明の実施の形態】
本発明の実施の形態を実施例にもとづき図面を参照して説明する。なお、この発明で浄水とは飲料、農産、加工、工業用と、各用途にあうように処理し浄化する事で有る。請求項１では、水にオゾン（４）を施す事で水（１）の脱臭及び殺菌をするもので有る。さらに、紫外線（６）を施し殺菌、超音波（２）にて振動させる事で水分子重合を切断し、水に抱え込まれた各種ガス（３）を気泡にして抜き、近赤外線（５）を照射する事で水を活性化し、分子重合体を小さい分子重合体に安定させるもので有る。
【０００６】
請求項２では、水に超音波と近赤外線を施し、水を活性化、安定させる事を特徴とする、浄水方法である。水の活性化には、電磁気エネルギー、電磁波エネルギー、機械的エネルギー、放射エネルギー、音波エネルギー、遠赤外線エネルギー、セラミックス処理方、ミネラル添加法等数々有るが、出来た水は皆同じ水ではなく、具体的には、磁石のＮ極とＳ極の間に、ある流速以上で通した水で植物を育てると植物の成長が早いとか、その水でセメントを練るとできたコンクリートの強度が増すとか、配管等にスケールが付着しにくくなる等、振動磁場を施した水も特徴は同じで有るが、人間や動物がこの水を飲む事で、心臓の鼓動が速く成ったり、神経過敏、耳なりの症状が現われる、また、紫外線照射した水も飲む事で、動機、めまい、不正脈等の症状が現われる等、活性水と言われる水それぞれに、特殊な特性がある事は知られて来ている。植物栽培に於いては、各種活性水を用いることで、成長が早まる等の水の物性変化の特性を示すが、成長が早まる事がプラスに成るとは限らない。そこで、各種の水の物性変化を取り去り、安定した水にするために、本発明では、水を各種処理後に、超音波にて重合を切断し、各種ガスを抜くという手段を講じている、これは、水の分子重合を短時間で確実に切断するもので、さらに、近赤外線を施す事で、水を活性化し、安定させるという手段を講じている。水に近赤外線を施すとは、脱臭し、ガスを取り除いた水はガスが抜け分子重合が切断されるため密度の濃い水で有るが、時間が経つと重合し大きな水分子重合体が形成される。よって、密度の濃い水の内に近赤外線で水を励起させ、活性化し、小さな水分子重合体の構造のままの水にする事である。近赤外線は０、７〜２０ミクロンの電磁波で、この中の、４〜１４ミクロンの電磁波は、物質中の原子や分子の振動と深い関係が有り、振動数が分子振動の振動数と同程度で有るので、吸収されると、直接物質中の原子や分子の振動を励起し振動状態にさせるため、水分子の重合が切れる。その後に分子重合が起きる時、小さい分子重合体が出来、密度の濃い比重の重い水と成る。これを、浄水の各種装置及び方法に組み込む事で、活性化された安定した水にする事ができる特徴を持つ。
【０００７】
請求項３では請求項１から２を用いた水の使用方法であり、以下に、この発明の好適実施例を上げ説明する。図１に示すように水と混じり合った各種ガス、水の分子重合内に抱え込まれたガスを除去するために水を超音波振動させる事で水分子重合体の結合が切れガスが気泡として水から取り除かれ密度の濃い水に成る。この事は蒸留水の場合で言えば、蒸気を冷却し水にもどした場合、蒸気内のガスが水の分子重合体に入り込んでしまうが、超音波振動させる事でガスを抜く事が出来る。各種の水もこれに準じる。
【０００８】
紫外線を施すとは、水を紫外線励起し殺菌するもので有り、実施例として、水耕栽培又は養殖に用いる溶液の場合、水を循環して用いるが、このような場合に紫外線にて水を殺菌し、超音波により水の分子重合を切断する事で分子密度の濃い清潔な水の使用が可能になる。
【０００９】
水にオゾンを施すとは、オゾンで殺菌、脱臭するもので有り実施例として、蒸留水をオゾンで脱臭し超音波処理する。また、水耕栽培水及び養殖水をオゾン処理する事で殺菌、脱臭する。又は水道水をオゾン処理し脱臭後、超音波処理により各種ガスを抜く等の使用が出来る。
【００１０】
水に近赤外線を施すとは、脱臭し、ガスを取り除いた水はガスが抜け分子重合が切断されるため密度の濃い水で有るが、時間が経つと重合し大きな水分子重合体が形成される。よって、密度の濃い水の内に近赤外線で水を励起させ、活性化し、小さな水分子重合体の構造のままの水にする事である。なお近赤外線により処理するとは、近赤外線は０、７〜２０ミクロンの電磁波で、４〜１４ミクロンの電磁波は、物質中の原子や分子の振動と深い関係が有り、振動数が分子振動の振動数と同程度で有るので、吸収されると、直接物質中の原子や分子の振動を励起し振動状態にさせるため、水分子の重合が切れる。その後に分子重合が起きる時、小さい分子重合体が出来、密度の濃い比重の重い水と成る。この水に各種必要成分を加える事で理想の浄水に仕上げる事ができ、飲料水においては理想のミネラルウオーターに出来る。さらに、これを氷らす、各種冷凍物をこの水に漬けてから氷らす事で、ドリップ現象を回避できる。また、ミンチ、練り製品に圧力を加え超音波振を与える事で脱気し、近赤外線を吸収させる、これを冷凍する事で、ドリップ現象及び酸化を押さえる等の方法にも使える。水を用いるものであればこれに準ずる。
【００１１】
加工乳の場合、殺菌、脱臭した水で生乳の濃度を調整後に、これに、紫外線を照射する事で殺菌とビタミンＤが増す。これを超音波振動させる事で脂肪球を粉砕、この際に分子の重合が切れ非常に均一なものに仕上がりる。また、紫外線励起の影響は超音波振動で重合を切断すること、さらに、近赤外線で処理する事で安定した、安全な加工乳にする事が出来る。牛乳、乳飲料についても同じである。油脂に紫外線を照射すると活性酸素が発生し、殺菌効果は得られるが脂肪酸に反応して過酸化脂質が形成される恐れがあるが、超音波と近赤外線で分子重合を切断する事で飽和脂肪酸に安定さすことができるものである。
【００１２】
変化例として、漬物等にこの浄水方法を用いる場合は、使用水をオゾンで脱臭し、漬け汁の材料を入れ、超音波を施し、近赤外線を施した漬け汁に漬ける事で、まろやかな漬物が出来る。また、オゾンで脱臭した水に、漬け汁の材料と漬ける物を入れて超音波を施すことで、製造時間の短縮と減菌効果が作用し賞味期限の延長も期待できる。さらに、缶詰、袋詰め、各種容器詰め、加工品に近赤外線及び／又は超音波を施す等、変化できる。
【００１３】
循環風呂の場合は、オゾンで殺菌消臭し近赤外線で水の重合を切断する事で水が浄化される。また、短時間で有れば入浴中に欲槽内の水を超音波振動させる事で、身体を超音波洗浄出来、外因的要因で起こる皮膚アレルギーなどは超音波洗浄する事で症状を和らげる事が出来る。ニキビも汗腺の脂肪のつまりを超音波にて乳化して洗浄する。さらに、こすらずに洗浄出来るため肌を炒める事も無い。プール、入浴場の水の浄化も同じであり、従来の装置、方法に、この方法を組み込み事も勿論である。なお、請求項１〜３において、その他、この発明の要旨を変更しない範囲で数々変化しうること勿論である。
【００１４】
【発明の効果】
本発明は、以上説明したとおりであって、以下に記載されるような効果を奏する。水を上記の方法で処理する事で、各種使用目的にかなった比重の重い密度の濃い水にする事が出来る。また、無臭の、小さな分子重合体の、比重の重い、安全な水を簡単に得る事が出来、各種組合せて使用することで、果汁、油脂、飲料と幅広い処理が可能である。この水は、動植物の細胞内液に近い構造の水で、動植物の細胞の活性化を促すものである。これは、光が物体に吸収される吸収係数が赤外線と紫外線の一部の周波数帯で高くなるが、この紫外線の領域は、水に照射されると水分子が励起され分子重合が切断される、さらに、活性酸素の中でも最も強力な一重酸素ができる。これが基底状態に戻る時に水分子の小さな輪が集まって水の大きなクラスターを作り、そのクラスターの形が変わる時に生体に対する影響も同時に変わる。紫外線励起した水は基底状態に於いても、生体に悪い影響を及ぼす。超音波は、この結合を短時間で確実に切断することができる方法である。これに、近赤外線を施す、この周波数も吸収係数が高く、物体に吸収されると、物体を構成している原子、分子の中に入って行き、強力な励起状態となる。吸収波長は、  ２９７８（地球上の分子量の平均）÷２７３（絶対温度）＋物体の温度＝吸収波長あり、水の場合は水の温度と成り、２０度の水は１０、１９ミクロンの電磁波を吸収し、、吸収されると、それを放射することができる。すなわち、この水は、細胞の原子、分子を刺激し、励起状態にさせて細胞を活性化させることができる、安全で活性化された安定した水である。
【図面の簡単な説明】
【図１】  超音波を用いた実施例を示す図である。
【図２】  紫外線を用いた実施例を示す図である。
【図３】  オゾンを用いた実施例を示す図である。
【図４】  近赤外線を用いた実施例を示す図である。
【符号の説明】
１  水
２  超音波
３  ガス
４  オゾン
５  近赤外線
６  紫外線